(57)【要約】      （修正有）【課題】内照式交通コーン警告構造を提供する。【解決手段】交通コーン本体１０と、少なくとも１つの電源モジュール２０と、ＬＥＤユニット３０とを備え、中空状を呈して透光性を持つ交通コーン本体には、中空錐状体１１と、底座１２とが設けられ、底座の頂面に少なくとも１つの収容槽１２１が設けられ、交通コーン本体の下部内縁に嵌込ユニット１４が周設され、少なくとも１つの電源モジュールは、交通コーン本体の底座の収容槽内に組み込まれ、供給電力を貯蔵及び出力するために用いられ、ＬＥＤユニットは、複数のＬＥＤ灯３１を有し、複数のＬＥＤ灯は、交通コーン本体の嵌込ユニット内に装着され、交通コーン本体内に向けて投射することにより、交通コーン本体を、注目を引く発光警告作用を現出させ、収集保管時や運搬時に多くの交通コーンを一緒に積み重ねて保守点検・取替えを便利にすることが図られる。【選択図】図２
0003218820.tif 000002
【実用新案登録請求の範囲】
【請求項１】
交通コーン本体と、少なくとも１つの電源モジュールと、ＬＥＤユニットとを備える内照式交通コーン警告構造であって、
中空状を呈して透光性を持つ前記交通コーン本体には、中空錐状体と、前記中空錐状体の下端周側に設置される底座とが設けられ、前記中空錐状体と前記底座とは一体成形され、前記底座の頂面に少なくとも１つの収容槽が設けられ、また前記交通コーン本体の内縁に嵌込ユニットが周設され、
前記少なくとも１つの電源モジュールは、前記交通コーン本体の前記底座の当該収容槽内に組み込まれ、供給電力を貯蔵及び出力するために用いられ、
前記ＬＥＤユニットは、当該電源モジュールから出力される供給電力を受電可能な複数のＬＥＤ灯を有し、前記複数のＬＥＤ灯は、前記交通コーン本体の前記嵌込ユニット内に装着されることで、前記複数のＬＥＤ灯の灯光を前記交通コーン本体内に向けて投射することを特徴とする、内照式交通コーン警告構造。
【請求項２】
前記交通コーン本体の前記嵌込ユニットは、前記交通コーン本体の下部に設置されることを特徴とする、請求項１に記載の内照式交通コーン警告構造。
【請求項３】
前記嵌込ユニットは、複数の嵌込孔から構成され、前記複数の嵌込孔は、上向きに傾斜する角度を呈し、前記複数のＬＥＤ灯は、前記複数の嵌込孔内に装着されることで、前記複数のＬＥＤ灯の灯光を上向きに傾斜する角度で前記交通コーン本体内に向けて投射することを特徴とする、請求項１または２に記載の内照式交通コーン警告構造。
【請求項４】
前記嵌込ユニットは、環状の嵌込溝から構成され、前記嵌込溝は、上向きに傾斜する角度を呈し、前記ＬＥＤユニットの前記複数のＬＥＤ灯は、ライトバー上に設置され、前記ライトバー及び前記複数のＬＥＤ灯は、前記嵌込溝内に装着されることで、前記複数のＬＥＤ灯の灯光を上向きに傾斜する角度で前記交通コーン本体内に向けて投射することを特徴とする、請求項１または２に記載の内照式交通コーン警告構造。
【請求項５】
前記交通コーン本体は、注目を引く色を持つことを特徴とする、請求項１に記載の内照式交通コーン警告構造。
【請求項６】
前記中空錐状体は、円錐状を呈することを特徴とする、請求項１に記載の内照式交通コーン警告構造。
【請求項７】
前記交通コーン本体の内部には、錐状重合空間が形成されることを特徴とする、請求項１に記載の内照式交通コーン警告構造。
【請求項８】
当該電源モジュールは、電池と、電池ボックスと、太陽電池パネルとを含み、前記電池は、前記電池ボックス内に装着され、前記太陽電池パネルは、前記電池ボックス上に装着され、前記太陽電池パネルを前記交通コーン本体の前記底座の当該収容槽の頂部と一致させて面揃えし、前記太陽電池パネルは、太陽エネルギーを吸収して電気エネルギーに変換して前記電池に貯蔵するために用いられることを特徴とする、請求項１に記載の内照式交通コーン警告構造。
【請求項９】
交通コーン本体と、少なくとも１つの電源モジュールと、ＬＥＤユニットとを備える内照式交通コーン警告構造であって、
前記交通コーン本体は、分離式の中空錐状体と、底座とから固定座に合わせて結合されてなり、前記中空錐状体は、透光性を持ち、前記中空錐状体の内部に錐状重合空間が形成され、前記底座の頂面に少なくとも１つの収容槽が設けられ、その中間に嵌め孔が設けられ、前記底座は、前記嵌め孔を介して前記中空錐状体の下端周側に嵌着結合され、前記固定座は、前記底座の下側に組み込まれ、その頂面に環凸部が設けられ、前記固定座は、前記環凸部内に通り孔が設けられ、前記通り孔と前記中空錐状体の内部の前記錐状重合空間とは合致連通し、前記環凸部の内縁に嵌込ユニットが周設され、
前記少なくとも１つの電源モジュールは、前記交通コーン本体の前記底座の当該収容槽内に組み込まれ、供給電力を貯蔵及び出力するために用いられ、
前記ＬＥＤユニットは、当該電源モジュールから出力される供給電力を受電可能な複数のＬＥＤ灯を有し、前記複数のＬＥＤ灯は、前記交通コーン本体の前記嵌込ユニット内に装着されることで、前記複数のＬＥＤ灯の灯光を前記交通コーン本体内に向けて投射することを特徴とする、内照式交通コーン警告構造。
【請求項１０】
前記嵌込ユニットは、複数の嵌込孔から構成され、前記複数の嵌込孔は、上向きに傾斜する角度を呈し、前記複数のＬＥＤ灯は、前記複数の嵌込孔内に装着されることで、前記複数のＬＥＤ灯の灯光を上向きに傾斜する角度で前記交通コーン本体内に向けて投射することを特徴とする、請求項９に記載の内照式交通コーン警告構造。
【請求項１１】
前記嵌込ユニットは、環状の嵌込溝から構成され、前記嵌込溝は、上向きに傾斜する角度を呈し、前記ＬＥＤユニットの前記複数のＬＥＤ灯は、ライトバー上に設置され、前記ライトバー及び前記複数のＬＥＤ灯は、前記嵌込溝内に装着されることで、前記複数のＬＥＤ灯の灯光を上向きに傾斜する角度で前記交通コーン本体内に向けて投射することを特徴とする、請求項９に記載の内照式交通コーン警告構造。
【請求項１２】
前記交通コーン本体は、注目を引く色を持つことを特徴とする、請求項９に記載の内照式交通コーン警告構造。
【請求項１３】
前記中空錐状体は、円錐状を呈することを特徴とする、請求項９に記載の内照式交通コーン警告構造。
【請求項１４】
当該電源モジュールは、電池と、電池ボックスと、太陽電池パネルとを含み、前記電池は、前記電池ボックス内に装着され、前記太陽電池パネルは、前記電池ボックス上に装着され、前記太陽電池パネルを前記交通コーン本体の前記底座の当該収容槽の頂部と一致させて面揃えし、前記太陽電池パネルは、太陽エネルギーを吸収して電気エネルギーに変換して前記電池に貯蔵するために用いられることを特徴とする、請求項９に記載の内照式交通コーン警告構造。
【考案の詳細な説明】
【技術分野】
【０００１】
本考案は、交通コーンに係り、特に、路面障害や工事などを表示する警告用途に応用可能な内照式交通コーン警告構造に関するものである。
【背景技術】
【０００２】
一般の道路工事、建築工事現場は、通常、その中に誤って入って危険な状態になるのを回避するよう、車両及び通行人に注意を喚起するために、区間規制及び警告作用を持つ交通コーン（三角コーンとも称する）が設置される。而して、一般の交通コーンは、中空円錐体の下端に一体成形される方形底座を有し、使用時には底座により安定な据え置きが提供されて、そのもの自体の注目を引く色で受動的警告作用を奏するが、上記の交通コーンは、それ自体が発光しないため、日間では予期の警告効果を果たせるが、夜間や不良な天候の状況下においては、外界の光線による照明に完全に頼らなければ、予期の警告機能を発揮することができなくなり、かつ警告有効距離はかなり限られているため、警告効果を大幅ダウンさせ、車両及び通行人が前記警告領域に無断で入る可能性が増加する。
【０００３】
それゆえ、発光可能な交通コーンが開発され、それによれば、夜間や不良な天候の状況下においても、必要な発光警告効果を提供することが可能となり、例えば、特許文献１の台湾登録実用新案第Ｍ２９２５９５号の「集光式三角コーン警告装置」には、いわゆる従来の内照式交通コーンが示されており、それは基台と、底皿と、透光カバーとからなり、そのうち、前記基台は、上狭下広の中空円柱体になるように形成され、基台の底部に底皿に対応連接する連接部を有し、しかも前記基台は頂面を有し、前記頂面上に発光源が設けられ、そして前記底皿上に電源装置と制御回路とが設けられ、かつ底皿と基台とを互いに連接した後、前記基台内に収容され、前記電源装置、制御回路及び発光源を相互に電気接続し、前記制御回路は前記発光源の発光モードを制御し、また前記透光カバーは円錐状を呈し、かつ基台の頂面に対応連結して発光源を前記透光カバー内に収容する。
【先行技術文献】
【特許文献】
【０００４】
【特許文献１】台湾登録実用新案第Ｍ２９２５９５号明細書
【考案の概要】
【考案が解決しようとする課題】
【０００５】
ただし、前記従来の内照式交通コーンは、三角コーンの内部に装着される発光源を用いて、透光カバーを経由して前記三角コーンの外表面の注目を引く色による警告と相俟って、道路利用者に早めに前方道路状況を察知してそれに応じて充分な対処時間を与えることができる。しかしながら、その基台の底部に底皿が組み込まれ、基台は頂面を有し、頂面上に発光源が設けられ、基台上に透光カバーが組み込まれるので、多くの三角コーンを一緒に積み重ねることができないから、収集保管時や運搬時に空間を占用することになり、収集保管や運搬に不利であり、またその本体は、基台と、底皿と、透光カバーとからなり、基台の頂面上に発光源が設けられ、底皿上に電源装置と制御回路とが設けられ、これらのことが保守点検・取替えに不便をきたす欠点がある。
【課題を解決するための手段】
【０００６】
本考案に係る内照式交通コーン警告構造は、交通コーン本体と、少なくとも１つの電源モジュールと、ＬＥＤユニットとを備え、中空状を呈して透光性を持つ交通コーン本体には、中空錐状体と、前記中空錐状体の下端周側に設置される底座とが設けられ、前記底座の頂面に少なくとも１つの収容槽が設けられ、また前記交通コーン本体の下部内縁に嵌込ユニットが周設され、少なくとも１つの電源モジュールは、前記交通コーン本体の底座の収容槽内に組み込まれ、供給電力を貯蔵及び出力するために用いられ、ＬＥＤユニットは、当該電源モジュールから出力される供給電力を受電可能な複数のＬＥＤ灯を有し、前記複数のＬＥＤ灯は、前記交通コーン本体の嵌込ユニット内に装着され、かつ前記複数のＬＥＤ灯の灯光を前記交通コーン本体内に向けて投射する。
【考案の効果】
【０００７】
本考案の主な目的は、その使用時に複数のＬＥＤ灯を介して交通コーン本体内に向けて灯光を投射し、交通コーン本体が持つ透光性に合わせることで、交通コーン本体を、注目を引く発光警告作用を現出させ、かつその収集保管時や運搬時に多くの交通コーンを一緒に積み重ねて占用空間を低減させることができ、収集保管や運搬に有利であることにある。
【０００８】
本考案の副次的目的は、その電源モジュール及びＬＥＤユニットをモジュール化させることができるため、保守点検・取替えを便利にすることができることにある。
【図面の簡単な説明】
【０００９】
【図１】本考案の斜視図である。
【図２】本考案の分解斜視図である。
【図３】本考案の断面図である。
【図４】本考案の別の断面図である。
【図５】本考案の発光使用状態を示す図である。
【図６】本考案の積み重ね状態を示す斜視図である。
【図７】本考案の積み重ね状態を示す断面図である。
【図８】本考案の別の実施例の斜視図である。
【図９】本考案の別の実施例の分解斜視図である。
【図１０】本考案の別の実施例の断面図である。
【図１１】図１０の丸囲み部分の拡大図である。
【図１２】本考案のさらに別の実施例の一部断面図である。
【考案を実施するための形態】
【実施例１】
【００１０】
図１〜図４に示すように、本考案の内照式交通コーン警告構造は、交通コーン本体１０と、少なくとも１つの電源モジュール２０と、ＬＥＤユニット３０とを備える。
【００１１】
前記交通コーン本体１０は、注目を引く色の透光性材質から製作され、中空状を呈して透光性を持ち、前記交通コーン本体１０には、中空錐状体１１と、前記中空錐状体１１の下端周側に設置される方形底座１２とが設けられ、前記中空錐状体１１と前記底座１２とは一体成形され、前記底座１２の頂面に少なくとも１つの収容槽１２１が設けられ（本実施例では、前記底座１２の頂面に４つの収容槽１２１が設けられ）、また前記交通コーン本体１０の内部に錐状重合空間１３が形成され、前記交通コーン本体１０の下部内縁に嵌込ユニット１４が周設され、本実施例において、前記嵌込ユニット１４は、複数の嵌込孔１４１から構成され、前記複数の嵌込孔１４１は、上向きに傾斜する角度を呈し、前記交通コーン本体１０の下部内縁から前記交通コーン本体１０の底面まで貫通する。
【００１２】
前記少なくとも１つの電源モジュール２０（本実施例では、４つの電源モジュール２０）は、前記交通コーン本体１０の底座１２の収容槽１２１内に組み込まれ、供給電力を貯蔵及び出力するために用いられ、当該電源モジュール２０は、電池２１と、電池ボックス２２と、太陽電池パネル２３とを含み、前記電池２１は、前記電池ボックス２２内に装着され、前記太陽電池パネル２３は、前記電池ボックス２２上に装着され、前記太陽電池パネル２３を前記交通コーン本体１０の底座１２の収容槽１２１の頂部と一致させて面揃えし、前記太陽電池パネル２３は、太陽エネルギーを吸収して電気エネルギーに変換して電池２１に貯蔵するために用いられる。
【００１３】
前記ＬＥＤユニット３０は、当該電源モジュール２０から出力される供給電力を受電可能な複数のＬＥＤ灯３１を有し、前記複数のＬＥＤ灯３１は、前記交通コーン本体１０の嵌込ユニット１４の複数の嵌込孔１４１内に装着されることで、前記複数のＬＥＤ灯３１が当該嵌込孔１４１内に隠蔽され、前記複数のＬＥＤ灯３１の灯光を上向きに傾斜する角度で前記交通コーン本体１０内に向けて投射する。
【００１４】
本考案の使用時に、図５に示すように、電源モジュール２０の電池２１から出力される供給電力をＬＥＤユニット３０の複数のＬＥＤ灯３１に供給することにより、ＬＥＤ灯３１を持続発光・点滅発光させ、ＬＥＤ灯３１から投射可能な光線を、透光性を持つ交通コーン本体１０を経由して外向きに透光し、交通コーン本体１０の注目を引く色と相俟って、遠方の道路利用者にいち早く警告を知らせて対処を促すことができ、人員と車両の安全を保つことができる。
【００１５】
また、本考案の収集保管時や運搬時に、交通コーン本体１０は、中空錐状体１１と、中空錐状体１１の下端周側に設置される方形底座１２とを有し、かつ電源モジュール２０は、交通コーン本体１０の底座１２の収容槽１２１内に組み込まれるので、ＬＥＤ灯３１全体は、交通コーン本体１０の嵌込ユニット１４の嵌込孔１４１内に装着されるため、多くの交通コーンを図６及び図７に示すように積み重ねることができるから、占用空間を低減させることができる。
【実施例２】
【００１６】
なお、図８〜図１１に示すように、本考案の別の実施例において、前記別の実施例と上記の実施例との相違点は、前記別の実施例の交通コーン本体１０は、分離式の中空錐状体１１と、底座１２とから固定座１５に合わせて結合されてなり、前記中空錐状体１１は、注目を引く色の透光性材質から製作され、透光性を持ち、前記中空錐状体１１の内部に錐状重合空間１１１が形成され、前記底座１２は、方形を呈してその頂面に少なくとも１つの収容槽１２１が設けられ（本実施例では、前記底座１２の頂面に４つの収容槽１２１が設けられ）、その中間に嵌め孔１２２が設けられ、前記底座１２は、前記嵌め孔１２２を介して前記中空錐状体１１の下端周側に嵌着結合され、前記固定座１５は、前記底座１２の下側に組み込まれ、その頂面に環凸部１５１が設けられ、前記固定座１５は、前記環凸部１５１内に通り孔１５２が設けられ、前記通り孔１５２と前記中空錐状体１１の内部の錐状重合空間１１１とは合致連通し、前記環凸部１５１の内縁に嵌込ユニット１４が周設され、前記嵌込ユニット１４は、複数の嵌込孔１４１から構成され、前記複数の嵌込孔１４１は、上向きに傾斜する角度を呈し、前記環凸部１５１の内縁から外縁まで貫通する点である。
【実施例３】
【００１７】
さらに、図１２に示すように、本考案のさらに別の実施例において、前記さらに別の実施例と上記の別の実施例との相違点は、前記さらに別の実施例の嵌込ユニット１４は、環状の嵌込溝１４２から構成され、前記嵌込溝１４２は、上向きに傾斜する角度を呈し、前記ＬＥＤユニット３０の複数のＬＥＤ灯３１は、ライトバー３２上に設置され、前記ライトバー３２及び前記複数のＬＥＤ灯３１は、前記交通コーン本体１０の嵌込ユニット１４の環状の嵌込溝１４２内に装着されることで、前記ライトバー３２及び前記複数のＬＥＤ灯３１は、前記嵌込溝１４２内に隠蔽され、前記複数のＬＥＤ灯３１の灯光を上向きに傾斜する角度で前記交通コーン本体１０内に向けて投射する点である。
【産業上の利用可能性】
【００１８】
上記の具体的な実施例の構造によれば、下記の効果利益が得られる。
【００１９】
１．本考案の内照式交通コーン警告構造は、その使用時に複数のＬＥＤ灯３１を介して交通コーン本体１０内に向けて灯光を投射し、交通コーン本体１０または中空錐状体１１が持つ透光性に合わせることで、交通コーン本体１０を、注目を引く発光警告作用を現出させることができるのみならず、かつその交通コーン本体１０の内部に錐状重合空間１３，１１１が形成され、収集保管時や運搬時に多くの交通コーンを一緒に積み重ねて占用空間を低減させることができ、収集保管や運搬に有利である。
【００２０】
２．本考案の内照式交通コーン警告構造は、その電源モジュール２０及びＬＥＤユニット３０をモジュール化させることができるため、保守点検・取替えを便利にすることができ、保守点検コストを低減することができる。
【符号の説明】
【００２１】
１０：交通コーン本体
１１：中空錐状体
１１１：錐状重合空間
１２：底座
１２１：収容槽
１２２：嵌め孔
１３：錐状重合空間
１４：嵌込ユニット
１４１：嵌込孔
１４２：嵌込溝
１５：固定座
１５１：環凸部
１５２：通り孔
２０：電源モジュール
２１：電池
２２：電池ボックス
２３：太陽電池パネル
３０：ＬＥＤユニット
３１：ＬＥＤ灯
３２：ライトバー
【図１】
0003218820.tif 000003
【図２】
0003218820.tif 000004
【図３】
0003218820.tif 000005
【図４】
0003218820.tif 000006
【図５】
0003218820.tif 000007
【図６】
0003218820.tif 000008
【図７】
0003218820.tif 000009
【図８】
0003218820.tif 000010
【図９】
0003218820.tif 000011
【図１０】
0003218820.tif 000012
【図１１】
0003218820.tif 000013
【図１２】
0003218820.tif 000014